(57)【要約】【課題】本発明は、レーベル面のように表面が粗い光ディスクの記録面にレーザ光のフォーカスを安定して合わせることが可能な光ディスク装置及びそのレーベル記録方法を提供することを目的とする。【解決手段】本発明は、光ディスクの反射光を受光する手段と、光ディスクの記録層を種別する判別手段と、反射光に基づいてフォーカス誤差信号を検出する手段と、フォーカス誤差信号に基づいて所定のフォーカス位置に駆動する駆動手段と、を備え、駆動手段は記録層がレーベル面のとき所定のフォーカス位置に設定したあと駆動を保持したままフォーカス誤差信号を監視し、フォーカス誤差信号が閾値を越えたら再駆動する制御手段を具備したものである。【選択図】図３
2008217925.tif 000002
【特許請求の範囲】
【請求項１】
光ディスクの光学的に記録可能なレーベル面からのレーザ光の反射光を受光する受光手段と、
前記反射光に基づいて所定のフォーカス誤差信号を検出する検出手段と、
前記フォーカス誤差信号に基づいて前記レーザ光のフォーカスを合わせる駆動手段と、
前記フォーカスを合わせたフォーカス位置と同一位置で前記フォーカス誤差信号を監視し、前記フォーカス誤差信号が閾値を越えたら前記所定のフォーカス位置に前記レーザ光のフォーカスを再設定する制御手段を備えた光ディスク装置。
【請求項２】
前記制御手段は、前記フォーカス誤差信号が閾値を越えたら前記レーザ光を減光し、前記所定のフォーカス位置にフォーカスを再設定したあと前記レーザ光を増光することを特徴とする請求項１記載の光ディスク装置。
【請求項３】
前記受光手段は、少なくとも２つの受光手段を設け、
一方の受光手段は、レーザ光の反射光の焦点が合う位置で第１の反射光を受光し、前記駆動手段は、前記第１の反射光に基づくフォーカス誤差信号により前記レーザ光のフォーカスを合わせ、一方、
他方の受光手段は、レーザ光の反射光の焦点が広がる位置で第２の反射光を受光し、前記制御手段は、前記第２の反射光に基づくフォーカス誤差信号を監視することを特徴とする請求項１記載の光ディスク装置。
【請求項４】
光ディスクの光学的に記録可能なレーベル面に記録するとき前記レーベル面からのレーザ光の反射光を受光し、
前記受光した反射光に基づいてフォーカス誤差信号を検出し、
前記フォーカス誤差信号に基づいて所定のフォーカス位置に前記レーザ光のフォーカスを合わせ、
前記フォーカスを合わせた所定のフォーカス位置と同一位置で前記フォーカス誤差信号を監視し、
前記フォーカス誤差信号が閾値を越えたら前記所定のフォーカス位置に前記レーザ光のフォーカスを再設定する光ディスク装置のレーベル記録方法。
【請求項５】
光ディスクの光学的に記録可能なレーベル面に記録するとき、
前記レーベル面からのレーザ光の反射光を受光し、
前記受光した反射光に基づいてフォーカス誤差信号を検出し、
前記フォーカス誤差信号に基づいて所定のフォーカス位置に前記レーザ光のフォーカスを合わせ、
前記フォーカスを合わせた所定のフォーカス位置と同一位置で前記フォーカス誤差信号を監視し、
前記フォーカス誤差信号が所定の閾値を越えたとき前記レーザ光を減光し、
前記所定のフォーカス位置に前記レーザ光のフォーカスを再設定してレーザ光を増光することを特徴とする光ディスク装置のレーベル記録方法。
【請求項６】
前記反射光の受光は、少なくとも２つの受光手段で受光し、
一方の受光手段は、レーザ光の反射光の焦点が合う位置で第１の反射光を受光して前記第１の反射光に基づくフォーカス誤差信号により前記レーザ光のフォーカスを合わせ、一方、
他方の受光手段は、レーザ光の反射光の焦点が広がる位置で第２の反射光を受光し、前記第２の反射光の受光に基づくフォーカス誤差信号を監視することを特徴とする請求項４乃至請求項５記載の光ディスク装置のレーベル記録方法。
【発明の詳細な説明】
【技術分野】
【０００１】
本発明は光ディスクの記録面にレーザ光のフォーカスを合わせて情報記録を行う光ディスク装置に関し、特に光学的に記録可能なレーベル面を備えた光ディスクにレーベル情報を記録する光ディスク装置及びそのレーベル記録方法に関するものである。
【背景技術】
【０００２】
光ディスクに情報を記録するには、光ピックアップに設けたレーザ光を光ディスクの記録面にフォーカスを合わせて照射し、光ディスクの記録面の化学変化を利用して記録マークなどを形成し、再生のときにはこの記録マークを読取信号に変換して情報の復元を行いっている。
【０００３】
光ディスクの記録面に情報を記録したり、光ディスクの情報を再生するには、光ディスクの記録面に追従してフォーカスを合わせようにフォーカス制御が実施される。従って記録面が平坦で光ディスクの面振れなどによる記録面の変動が少ないほどフォーカス制御が容易であるが記録面が粗い光ディスクでは、粗い記録面の状態に応じてフォーカス制御を行うので記録に時間を要することがあった。
【０００４】
一方、光ディスクの記録面側とは反対側の面には、光ディスクに記録した情報の内容が把握できるようにレーベル情報を表示することがよく行われている。この光ディスクの記録面と反対側の面をレーベル面と呼んでいる。
【０００５】
従来は、光ディスクの記録面に記録した情報の内容が把握できるようにレーベル面に情報を記録するには、印刷したシールを貼り付けたり、レーベル面に設けた記録面にユーザがフェルトペンなどで手書きにより記入したり、レーベル面に設けた印刷可能な面にインクジェットプリンタなどでレーベル情報を印刷したりして情報を記録していたが、近年光ディスク装置の光ピックアップにより照射されるレーザ光により、光ディスクのレーベル面に設けた可視光特性変化層を設けて、光学的に文字や可視画像などのレーベル情報を記録する技術が開発されている(例えば、特許文献１)。
【特許文献１】特開２００６−０１２４２０号公報
【発明の開示】
【発明が解決しようとする課題】
【０００６】
従来の技術は、光ディスク装置の光ピックアップは記録面とレーベル面の記録とで光ピックアップを共用で使用できるので有用であるが、光ディスクの記録面とレーベル層とでは、光ディスクの表面からの記録位置が異なっていたり記録面の粗さが異なっている。従って記録面を記録するときと同一の方法によってレーベル面の記録のときもフォーカス制御をするとレーベル面の凹凸によって頻繁にフォーカスエラーが発生しやすくフォーカス制御の時間がかかりその結果全体としての記録時間がかかる課題があった。
【０００７】
本発明は、光ディスクのレーベル面に光学的に情報を記録するときにおけるレーザ光のフォーカス制御を安定させて、フォーカス制御時間を短縮し、その結果全体としての記録時間を短縮した光ディスク装置及びそのレーベル記録方法を提供することを目的とする。
【課題を解決するための手段】
【０００８】
かかる問題を解決するため、本発明は、光ディスクの光学的に記録可能なレーベル面からのレーザ光の反射光を受光する手段と、反射光に基づいてフォーカス誤差信号を検出する手段と、フォーカス誤差信号に基づいて所定のフォーカス位置にレーザ光のフォーカスを合わせる駆動手段と、フォーカスを合わせた所定のフォーカス位置と同一位置でフォーカス誤差信号を監視し、フォーカス誤差信号が閾値を越えたら所定のフォーカス位置にレーザ光のフォーカスを再設定する制御手段を備えたものである。
【発明の効果】
【０００９】
本発明は、光ディスクのレーベル面の所定のフォーカス位置にレーザ光のフォーカスを合わせ、フォーカスを合わせた位置でフォーカス誤差信号を監視してフォーカス誤差信号が閾値を越えたら再設定することにより、常時、フォーカス制御するのでなく所定の閾値を越えたときにフォーカス制御を再設定するので、表面が粗い記録面に対してフォーカスサーボ制御することで頻繁に発生するフォーカスエラーに対するフォーカス制御にかかる時間を短縮できる。その結果、記録時間が長くなるのを防止できるので、記録時間を全体として短くできる。
【００１０】
また、所定のフォーカス位置と同一位置で監視するので、記録するレーベル面の表面の凹凸によって過剰にフォーカス制御を行わなくすることができる。その結果、所定のフォーカス位置と同一位置で所定の閾値以上のフォーカス誤差信号を検出したときにだけフォーカス位置を修正して再設定することができるので、フォーカス制御に要する記録時間が長くなるのを防止でき、記録時間を全体として短くできる。
【発明を実施するための最良の形態】
【００１１】
請求項１記載の発明は、光ディスクの光学的に記録可能なレーベル面からのレーザ光の反射光を受光する手段と、反射光に基づいてフォーカス誤差信号を検出する手段と、フォーカス誤差信号に基づいて所定のフォーカス位置にレーザ光のフォーカスを合わせる駆動手段と、フォーカスを合わせた所定のフォーカス位置と同一位置でフォーカス誤差信号を監視し、フォーカス誤差信号が閾値を越えたら所定のフォーカス位置にレーザ光のフォーカスを再設定する制御手段を備えたものである。
【００１２】
この構成によれば、光ディスクのレーベル面の所定のフォーカス位置にレーザ光のフォーカスを合わせ、フォーカスを合わせた所定のフォーカス位置と同一位置でフォーカス誤差信号を監視してフォーカス誤差信号が閾値を越えたら所定のフォーカス位置にフォーカス位置を再設定することにより、記録層に記録するときに行うフォーカス制御ように常時フォーカス制御をするのでなく所定の閾値を越えたときに限ってフォーカス制御をし所定のフォーカス位置に再設定するので、表面が粗い記録面に対してフォーカスサーボ制御することで頻繁に発生するフォーカスエラーに対するフォーカス制御にかかる時間を短縮できる。その結果、記録時間が長くなるのを防止できるので、記録時間を全体として短くできる。
【００１３】
また、所定のフォーカス位置と同一位置で監視するので、記録するレーベル面の表面の凹凸によって過剰にフォーカス制御を行わなくすることができる。その結果、所定のフォーカス位置と同一位置で所定の閾値以上のフォーカス誤差信号を検出したときにだけフォーカス位置を修正して再設定することができるので、フォーカス制御に要する記録時間が長くなるのを防止でき、記録時間を全体として短くできる。
【００１４】
請求項２記載の発明は、請求項１記載の発明において、制御手段はレーザ光の発光強度の制御手段を備え、フォーカス誤差信号が閾値を超えたらレーザ光を減光し、所定のフォーカス位置にフォーカスを再設定したあとレーザ光を増光するようにしたものである。
【００１５】
この構成によれば、所定の閾値を越えたときに、一旦、レーザ光を減光してレーザ光を所定のフォーカス位置に再設定したあとレーザ光を増光することにより、フォーカスの再設定のときに記録面に画像や文字を形成することがなくなるので、印字品質を向上させることができる。
【００１６】
請求項３記載の発明は、請求項１記載の発明において、受光手段は、少なくとも２つの受光手段を設け、一方の受光手段は、レーザ光の反射光の焦点が合う位置で第１の反射光を受光し、駆動手段は、第１の反射光に基づくフォーカス誤差信号によりレーザ光のフォーカスを合わせ、一方、他方の受光手段は、レーザ光の反射光の焦点が広がる位置で第２の反射光を受光し、制御手段は、第２の反射光に基づくフォーカス誤差信号を監視するである。
【００１７】
この構成によれば、所定のフォーカス位置は、第1の反射光を受光しフォーカス誤差信号が最小となるようにレーザ光のフォーカスを合わせ、他の受光手段でフォーカス誤差信号を監視することにより、反射光の検出器上での光ビームの径を大きくするとともに検出器上での光ビームの輪郭も広がり、フォーカス誤差信号の検出のレベル変動を少なくすることができるので、記録層がレーベル面などの粗い表面である場合、フォーカス位置の変動が頻繁に発生するためにフォーカス制御の時間が長くなるのを防止できる。その結果、記録時間が長くなるのを減らすことができるので、記録時間を全体として短くできる。
【００１８】
請求項４記載の発明は、光ディスクの光学的に記録可能なレーベル面に記録するときレーベル面からのレーザ光の反射光を受光し、受光した反射光に基づいてフォーカス誤差信号を検出し、フォーカス誤差信号に基づいて所定のフォーカス位置にレーザ光のフォーカスを合わせ、フォーカスを合わせた所定のフォーカス位置と同一位置でフォーカス誤差信号を監視し、フォーカス誤差信号が閾値を越えたら所定のフォーカス位置にレーザ光のフォーカスを再設定する光ディスク装置のレーベル記録方法である。
【００１９】
この方法によれば、記録層がレーベル面のとき所定のフォーカス位置に設定したあと駆動を保持したままフォーカス誤差信号を監視し、フォーカス誤差信号が閾値を越えたら再駆動することにより、常時、フォーカス制御するのでなく所定の閾値を越えたときにフォーカス制御を再駆動するので、表面が粗い記録面に対してフォーカスサーボ制御することで頻繁に発生するフォーカスエラーでのフォーカス制御の時間がかかり、結果として記録時間が長くなるのを減らすことができるので、記録時間の短い光ディスク装置を提供することができる。
【００２０】
請求項５記載の発明は、光ディスクの光学的に記録可能なレーベル面に記録するとき、レーベル面からのレーザ光の反射光を受光し、受光した反射光に基づいてフォーカス誤差信号を検出し、フォーカス誤差信号に基づいて所定のフォーカス位置にレーザ光のフォーカスを合わせ、フォーカスを合わせた所定のフォーカス位置と同一位置でフォーカス誤差信号を監視し、フォーカス誤差信号が所定の閾値を越えたときレーザ光を減光し、所定のフォーカス位置にレーザ光のフォーカスを再設定してレーザ光を増光することを特徴とする光ディスク装置のレーベル記録方法ある。
【００２１】
この方法によれば、記録層がレーベル面のとき所定のフォーカス位置に設定したあと駆動を保持したままフォーカス誤差信号を監視し、フォーカス誤差信号が閾値を越えたら、一旦、レーザ光を減光して所定のフォーカス位置に再設定したあとレーザ光を増光することにより、フォーカスの再設定のときに記録面に画像や文字を形成することがなくなるので、印字品質のよい光ディスク装置を提供することができる。
【００２２】
請求項６記載の発明は、請求項４乃至請求項５記載の発明において、反射光の受光は、少なくとも２つの受光手段で受光し、一方の受光手段は、レーザ光の反射光の焦点が合う位置で第１の反射光を受光して前記第１の反射光に基づくフォーカス誤差信号により前記レーザ光のフォーカスを合わせ、一方、他方の受光手段は、レーザ光の反射光の焦点が広がる位置で第２の反射光を受光し、前記第２の反射光の受光に基づくフォーカス誤差信号を監視するものである。
【００２３】
この方法によれば、所定のフォーカス位置は、第1の反射光を受光しフォーカス誤差信号が最小となるように前記レーザ光のフォーカスを合わせ、他の受光手段でフォーカス誤差信号を監視することにより、反射光の検出器上での光ビームの径を大きくするとともに検出器上での光ビームの輪郭も広がり、フォーカス誤差信号の検出のレベル変動を少なくすることができるので、記録層がレーベル面などの粗い表面である場合、フォーカス位置の変動が頻繁に発生するためにフォーカス制御の時間が長くなるのを防止できる。その結果、記録時間が長くなるのを減らすことができるので、記録時間を全体として短くできる。
【００２４】
以下、本発明を実施するための最良の形態について図面を参照しながら説明する。
【００２５】
（実施の形態１）
図１は本発明の実施の形態１に係わる光ディスク装置の斜視図、図２は本発明の実施の形態１に係わる光ディスク装置の外観図で、筐体の天部を除去した図である。
【００２６】
図１および図２において光ディスク装置１には筐体２及びトレイ３があり図１、図２は筐体２からトレイ３を引き出した状態を示している。
【００２７】
筐体２は天部２ａと底部２ｂから構成されている。トレイ３には光ピックアップモジュール４が設けられている。光ピックアップモジュール４には光学系を構成した光ピックアップ５と光ディスクを回転させるスピンドルモータ４ａ及び制御回路を構成する回路基板４ｃが構成されている。
【００２８】
光ピックアップモジュール４に設けられた光ピックアップ５はスピンドルモータ４ａに対して近づいたり離れたりし、即ち光ディスクの半径方向に移動する。スピンドルモータ４ａには光ディスク装着部４ｂがあり、光ディスク装着部４ｂ装着された光ディスクを回転させる。
【００２９】
トレイ３の両側部にはレール部６があり、両側部共にレール７と光ディスク引き出し方向に摺動自在に嵌合している。また、レール７は筐体２両側部内面に設けられたレールガイド８とも光ディスク引き出し方向に摺動自在に嵌合しており、トレイ３は筐体２に対し挿抜自在である。トレイ３は筐体２から所定の長さだけ引き出されると筐体２に対して係止する。このときトレイ３に設けられた光ディスク装着部４ｂに光ディスクを装着もしくは取り外すことが可能である。トレイ３には押出部１２が設けられており、排出（イジェクト）動作時に押出部１２が筐体２を押すことにより、トレイ３は筐体２から飛び出す。
【００３０】
光ディスク装置１は、光ディスクがＣＤ−ＲＯＭ、ＣＤ−Ｒ／ＲＷの高速タイプもしくはＤＶＤ等に対応しており、データ転送速度が速いもので、２０Ｍｂｐｓ以上のデータ転送速度を有するものである。
【００３１】
筐体２の底部２ｂには制御回路を備える回路基板９が設けられており、トレイ３には制御回路を備える回路基板４ｃが設けられている。回路基板９と回路基板４ｃとは、フレキシブルプリント基板（ＦＰＣとも呼ぶ）１０で接続されており、このＦＰＣ１０によって回路基板９と回路基板４ｃとの電気的導通が図られる。
【００３２】
電力系としては、スピンドルモータ４ａや、光ピックアップモジュール４に設けられ光ピックアップ５を光ディスクの径方向に駆動するフィードモータ（図示せず）への電力供給及び光ピックアップ５に設けられたレーザ（図示せず）への電力供給が有り、信号としては、光ディスクから読み取りまたは光ディスクに書き込むデータの信号や、スピンドルモータ４ａ、フィードモータ、レーザを制御する信号がある。
【００３３】
図３は、本発明の実施の形態１に係わる光ディスク装置のブロック図である。
【００３４】
図３において、１１１はパーソナルコンピュータ、１は光ディスク装置、１５はインターフェースケーブル、２０はインターフェース、１１は光ディスク、４は光ピックアップモジュール、５は光ピックアップ、４ａはスピンドルモータ、２０５はフォーカス駆動手段、３１は対物レンズ、２０７はレーザ発光手段であるレーザ、２０８は反射光受光手段である検出器、２０９はキャリッジ、２１２はデジタルサーボコントローラ、２１３はデータ処理部、２１４はフォーカス制御手段、２１５はコマンド判別手段、２１７はレーザ制御手段、２１８は回転制御手段、２１９はスピンドルモータ駆動手段、２２０は記憶手段、２２２はディスク判別手段、２２３はフォーカス誤差監視手段である。
【００３５】
パーソナルコンピュータ１１１と光ディスク装置１はインターフェースケーブル１５で接続され、インターフェース２３を介して光ディスク１１に記録されたデータをパーソナルコンピュータ１１１に出力したり、パーソナルコンピュータ１１１のデータを光ディスク２０１出力する。
【００３６】
光ピックアップ手段である光ピックアップモジュール４は、レーザ２０７を有し、光ディスク１１へのデータの記録および光ディスク１１の情報の再生時にレーザ光を照射し、記録および再生を行う。また、光学的に記録可能なレーベル面を有する光ディスク１１のレーベル面に文字や可視画像などを印字する。
【００３７】
スピンドルモータ４ａは、光ディスク１１の回転を行う。
【００３８】
光ピクアップモジュール４はキャリッジ２０９が備えられ、移動手段であるフィードモータ（図示せず）によって光ピックアップモジュール４をスピンドルモータ４ａに近づいたり離れたりするように光ディスク１１の半径方向に移動させる。
【００３９】
レーザ２０７で出力されたレーザ光は、光ディスク１１の所定のフォーカス位置にフォーカスが合うようにフォーカスコイル制御手段２１４で制御されフォーカス駆動手段２０５でフォーカスを合わせられる。
【００４０】
レーザ制御手段２１７は、光ディスク１１に記録または再生の動作のときに所定のレーザパワーに制御したり、光学的に記録可能なレーベル面に対して、フォーカス制御動作切り替え時のレーザ発光強度の制御をする。
【００４１】
光ディスク１１からのレーザ光の反射光は、反射光受光手段である検出器２０８で受光して光ディスク１１の情報がデジタルサーボコントローラ２１２に送られ、トラッキング誤差信号やフォーカス誤差信号が求められる。
【００４２】
ディスク判別手段２２２は、光ディスク１１からの情報をもとに、対物レンズ３１と対向している記録面がデータなどの情報の記録面か光学的に記録可能なレーベル面であるかを判別する。
【００４３】
コマンド判別手段２１８は、パーソナルコンピュータ１１１から送られてくるコマンドを入力し、入力したコマンドが光ディスク１１に対するレーベル情報を記録するときのフォーカス制御に関するパラメータのコマンドコマンドを判別する。
【００４４】
パーソナルコンピュータ１１１と光ディスク装置１とは、インターフェース２０で接続されており、パーソナルコンピュータ１１１からの制御信号たとえばＡＴＡＰＩパケットコマンドを基に光ディスク装置１はパーソナルコンピュータ１１１に応答し、光ディスク１１の情報を読み込んだり、光ディスク１１に情報を記録したりする。パーソナルコンピュータ１１１と光ディスク装置１はインターフェースケーブル１５で接続されている。また、インターフェース２０は、ＳＣＳＩインターフェースや、ＩＤＥインターフェース等である。
【００４５】
パーソナルコンピュータ１１１から光ディスク装置１にＡＴＡＰＩパケットインターフェースのコマンドでレーベル情報の記録に用いるフォーカス制御に関する動作のパラメータを転送し、光ディスク装置１は受信した制御パラメータを含むコマンドを基に光ディスク１１のパラメータを記憶手段２２０に格納する。
【００４６】
光ディスク１１は、パーソナルコンピュータ１１１の外部記録装置として使用されるときのデータ記録する記録面とは別に記録した内容を光学的に記録可能なレーベル面を有し、かかるレーベル面にはユーザが任意に光学的に可視画像や文字などを記録できるものである。
【００４７】
フォーカス誤差監視手段２２３は、光ディスク１１からの反射光を基にフォーカス誤差を検出するとともに、光ピックアップ５と対向する位置に光ディスク１１の記録面が装着されているときは常にフォーカス誤差が最小となるフォーカス制御をし、光ピックアップ５と対向する位置に光学的に記録可能なレーベル面が装着されると、最適フォーカス位置に設定したら設定した位置のまま所定のフォーカス位置と同一位置でフォーカス誤差信号が所定の閾値を越えたかどうかを監視し、フォーカス誤差信号が閾値を越えたら所定のフォーカス位置にレーザ光のフォーカスを再設定するものである。
【００４８】
この構成について図を基に説明する。
【００４９】
図４は、本発明の実施の形態１に係わる光ディスクとレーザ光の関係を示した図である。
【００５０】
光ディスク１１は、記録面とレーベル面の両方の面に記録ができるものである。
【００５１】
図４において、図４（ａ）は記録面に記録するときのレーザ光の焦点位置を、図４（ｂ）はレーベル面に記録するときのレーザ光の焦点位置を、図４（ｃ）は光ディスク１１のレーベル面側の外観図を示している。
【００５２】
光ディスク１１の表面から反射面までの距離は、ＣＤで約１．２ｍｍ、ＤＶＤで約０．６ｍｍ、ブルーレイディスクで約０．１ｍｍであるのに、レーベル面までの距離は、約０．０２ｍｍで短い。
【００５３】
光ディスク１１において、記録面１１ａに記録するときとレーベル面１１ｂに記録するときとで同一の光ピックアップ５を使用して記録動作を行う。
【００５４】
従って、ユーザは、記録面１１ａに記録した後、レーベル面１１ｂに記録するときに、光ディスク１１のレーベル面１１ｂを光ピックアップ５の対物レンズ３１側に対向するように裏返して取り付ける。
【００５５】
光ディスク１１の記録面１１ａとレーベル面１１ｂとの表面の粗さが異なっており、レーベル面１１ｂ側が粗い構成となっている。
【００５６】
光ディスク１１への記録動作や再生動作をするときは、所望の記録面に焦点（フォーカス）をあわせるように対物レンズ３１を駆動し、光ディスク１１に対して近づけたり遠ざけたりしてフォーカス誤差信号が最小となるように光ビーム３２の焦点をあわせる。
【００５７】
図４（ｃ）に示すように光ディスク１１のレーベル面の内周近くには、光ピックアップ５に向けて装着されている装着面が、レーベル面側でありレーザ光によって情報の記録、例えば文字や写真・可視画像・イラストなどを記録することが可能であることを示す情報を含んだエンボス領域５１を設けている。
【００５８】
図５は、本発明の実施の形態１に係わるフォーカス誤差信号を説明する図である。
【００５９】
図５は光ピックアップ５の対物レンズ３１を光ディスク１１から離れた位置から一定の速度で光ディスク１１に近づけるようにフォーカス駆動値（図中ＦＣ駆動値）を上げ、所定の位置からフォーカス駆動値を下げたときのフォーカス誤差信号（図中ＦＥ信号）のＳ字波形を示す。
【００６０】
図５（ａ）はデータ記録層に対するフォーカス誤差信号のＳ字波形、図５（ｂ）はレーベル面に対するフォーカス誤差信号のＳ字波形、図５（ｃ）はフォーカス駆動電圧を示す。
【００６１】
図５（ａ）に示すようにデータ記録層に対するフォーカス誤差信号はフォーカス駆動値を上昇させたとき及びフォーカス駆動値を戻したときに生じ、それぞれ略単一のＳ字波形を示している。このＳ字波形のフォーカス誤差の値が０となる位置（ゼロクロス点と呼ぶ）Ｌ１、Ｌ２がデータ記録層にフォーカスが合った最適なフォーカス駆動位置である。
【００６２】
図５（ｂ）に示すようにレーベル面に対するフォーカス誤差信号はフォーカス駆動値を上昇させたとき及びフォーカス駆動値を戻したときに生じ、それぞれ複数のＳ字波形を示している。このＳ字波形のフォーカス誤差の値が０となる位置（ゼロクロス点と呼ぶ）Ｌ３、Ｌ４がレーベル面にフォーカスが合った最適フォーカス駆動位置である。
【００６３】
前述のように光ディスクの表面から記録層の反射面までの距離は、ＣＤで約１．２ｍｍ、ＤＶＤで約０．６ｍｍ、ブルーレイディスク約０．１ｍｍであるのに、レーベル面までの距離は、約０．０２ｍｍで極端に短いので、ゼロクロス点Ｌ１とゼロクロス点Ｌ２との時間差をＷ１，ゼロクロス点Ｌ３とゼロクロス点Ｌ４との時間差をＷ２とすると、この時間差Ｗ１，Ｗ２が記録層ごとに異なるので、この時間差Ｗ１、Ｗ２を基によって対物レンズ３１と対向している記録面がデータ記録面かレーベル面かを認識することもできる。
【００６４】
光ディスク１１に記録するときのフォーカス制御の方法は、データ記録層に情報を記録するときは常にＳ字波形が零（０）となる最適位置へフォーカス制御を行う。一方、レーベル面に画像や文字を記録するときには、一旦Ｓ字波形のフォーカス誤差の値が零（０）となる最適位置でフォーカス設定すると、フォーカス設定した位置を保持したままフォーカス誤差を監視し、フォーカス誤差信号が閾値３０１、閾値３０２を越えたときに限ってＳ字波形のフォーカス誤差の値が零（０）となる最適位置でフォーカス位置を再設定する。
【００６５】
これにより、一般にデータ記録層より凹凸が大きくフォーカスエラーが頻繁に発生しやすいレーベル面に対してフォーカス制御する時間を短縮できるので全体としてレーベル面への文字や可視情報などの記録時間を短縮できる。
【００６６】
また、フォーカス誤差信号のレベルが閾値３０１および閾値３０２を越えたときにＳ字波形のフォーカス誤差の値が零（０）となる最適位置でフォーカスを再設定する際には、レーザ制御手段２１７によって、光ビームの強度を一旦減光して最適フォーカス位置を求め、最適フォーカス位置が再び見つかり設定すると、レーザ制御手段２１７によって光ビームの強度を増光させる。
【００６７】
これにより、最適フォーカスの設定のときにフォーカス位置が変化しレーベル面での記録が変化し、フォーカス再設定中に記録レーベル情報を記録することがなく、記録品質が悪化することを防止することができる。
【００６８】
図６は、本発明の実施の形態１に係わる光ピックアップの光学系構成の略図である。
【００６９】
レーザ２０７から発射された光ビームは、光学部材（回折格子）１２４によって、主として記録再生用に用いるメイン光（０次回折光）と、トラッキング制御に用いられる２つのサブ光（±１次回折光）に分離される。分離された光ビームのメイン光（０次回折光）と±１次回折光との強度は、メイン光（０次回折光）の光の強度に対してサブ光（±１次回折光）の強度は１／１０〜１／２０程度に設定している。回折格子１２４によって分離された光ビームはビームスプリッタ１２２を通りコリメータレンズ１２１によって平行光にされて対物レンズ３１によって光ディスク１１の記録面１２５で集束される。
【００７０】
光ディスク１１のレーベル面１２５に集束された反射光は、対物レンズ３１およびコリメータレンズ１２１を通過して、ビームスプリッタ１２２の斜面１２２ａで反射されてビームスプリッタ１２２の主平面１２２ｂを通り、検出レンズ１２３を通って反射光受光手段である検出器２０８によって信号検出される。検出された信号を基にフォーカス制御を行う。
【００７１】
図７は、本発明の実施の形態１に係わるフローチャートである。
【００７２】
図７において、レーベル面への記録動作が開始されると（Ｓ７００）、対物レンズ３１に対向している光ディスク１１の記録面がレーベル面かどうかを判断し（Ｓ７０１）、レーベル面でなければレーベル面が設定されるのを監視する。このとき光ディスク装置１と接続されたパーソナルコンピュータ１１１に光ディスク装置１に情報を送りパーソナルコンピュータ１１１からユーザにレーベル面を装着するように指示するようにしてもよい。
【００７３】
対物レンズ３１に対向している光ディスク１１の記録面がレーベル面と判断すると、フォーカスコイルを駆動し（Ｓ７０２）、フォーカス誤差信号を検出し（Ｓ７０３）、フォーカス誤差信号が最適になったかどうかを判別し（Ｓ７０４）、フォーカス誤差信号が最適でないときは（Ｓ７０２）に戻り処理を続ける。
【００７４】
フォーカス誤差信号が最適になったら、フォーカスコイル駆動を保持し（Ｓ７０５）、保持したままフォーカス誤差信号を検出し（Ｓ７０６）、フォーカス誤差信号が閾値を越えたかどうかを判別し（Ｓ７０７）、フォーカス誤差信号が閾値を越えていなければ（Ｓ７０６）に戻り、フォーカス誤差信号が閾値を越えるかどうかの監視を続ける。
【００７５】
フォーカス誤差信号が閾値を越えると、レーザの発光強度を減光し（Ｓ７０８）、フォーカスコイルを駆動して（Ｓ７０９）、フォーカス誤差信号を検出し（Ｓ７１０）、フォーカス誤差信号が最適になったかどうか判別し（Ｓ７１１）、最適でなければ（Ｓ７０９）に戻り処理を続ける。
【００７６】
フォーカス誤差信号が最適になり再設定ができると、レーザ光を増光し（Ｓ７１２）、処理を終了するかどうかを判別し（Ｓ７１３）、処理を終了するときは処理終了処理をする（Ｓ７１４）。
【００７７】
終了をしないと判断したら（Ｓ７０５）に戻り処理を続ける。
【００７８】
（実施の形態２）
本発明の実施の形態２について、図面を参照しながら説明する。
【００７９】
なお、本発明の実施の形態２においては、実施の形態１と重複する構成や方法については繰り返し述べず省略するものである。
【００８０】
図８は、本発明の実施の形態２に係わる光ピックアップの光学系構成の略図である。
【００８１】
レーザ２０７から発射された光ビームは、光学部材（回折格子）１２４によって、主として記録再生用に用いるメイン光（０次回折光）と、トラッキング制御に用いられる２つのサブ光（±１次回折光）に分離される。回折格子１２４によって分離された光ビームはビームスプリッタ１２２を通りコリメータレンズ１２１によって平行光にされて対物レンズ３１によって光ディスク１１の記録面１２５よりで集束される。
【００８２】
光ディスク１１のレーベル面１２５に集束された反射光は、対物レンズ３１およびコリメータレンズ１２１を通過して、ビームスプリッタ１２２の斜面１２２ａで反射されてビームスプリッタ１２２の主平面１２２ｂを通り、検出レンズ１２３を通って、ハーフミラー３０３で反射光受光手段である検出器２０８a、２０８ｂに分離されて信号検出される。
【００８３】
検出器２０８ａにて検出された反射光を基にフォーカス誤差信号が求められ、フォーカス誤差信号が最適となる位置に対物レンズ３１を駆動する。
【００８４】
最適フォーカス誤差信号となる位置に駆動された対物レンズ３１は、位置を一定にしたまま検出器２０８ｂでフォーカス誤差信号が閾値を越えるかどうかを監視する。
【００８５】
これにより検出器２０８ｂで検出される光ビームＢ２の径が検出器２０８ａでのフォーカス最適調整のときの光ビームＢ１より大きくなり、また光ビームの輪郭もぼけて形成するので、僅かなレーベル面の凹凸に対応するフォーカス誤差信号の変動に対する検出レベルをの変動を少なくでき、レーベル面の粗い表面に対してのフォーカス位置の変動に対して頻繁に発生するフォーカス制御の時間を減らすことができ、全体として記録時間の短い光ディスク装置を提供できるようになる。
【００８６】
図９は、本発明の実施の形態２に係わるフローチャートである。
【００８７】
図９において、レーベル面への記録動作が開始されると（Ｓ９００）、対物レンズ３１に対向している光ディスク１１の記録面がレーベル面かどうかを判断し（Ｓ９０１）、レーベル面でなければレーベル面が設定されるのを監視する。このとき光ディスク装置１と接続されたパーソナルコンピュータ１１１に光ディスク装置１に情報を送りパーソナルコンピュータ１１１からユーザに指示するようにしてよい。
【００８８】
対物レンズ３１に対向している光ディスク１１の記録面がレーベル面と判断すると、フォーカスコイルを駆動し（Ｓ９０２）、第1検出位置でＦＥ信号を検出し（Ｓ９０３）、フォーカス誤差信号が最適になったかどうかを判別し（Ｓ９０４）、フォーカス誤差信号が最適でないときは（Ｓ９０２）に戻り処理を続ける。
【００８９】
フォーカス誤差信号が最適になったら、第2検出位置でＦＥ信号の監視を開始し（Ｓ９０５）、第１ＦＥ信号検出で最適にした位置でフォーカスコイル駆動を保持し（Ｓ９０６）、保持したままフォーカス誤差信号を検出し（Ｓ９０７）、フォーカス誤差信号が閾値を越えたかどうかを判別し（Ｓ９０８）、フォーカス誤差信号が閾値を越えていなければ（Ｓ９０７）に戻り、フォーカス誤差信号を検出しフォーカス誤差信号が閾値を越えるかどうかの監視を続ける。
【００９０】
フォーカス誤差信号が閾値を越えると、レーザの発光強度を減光し（Ｓ９０９）、フォーカスコイルを駆動して（Ｓ９１０）、第1検出位置でＦＥ信号を検出し（Ｓ９１１）、フォーカス誤差信号が最適になったかどうか判別し（Ｓ９１２）、最適でなければ（Ｓ９１０）に戻り処理を続ける。
【００９１】
フォーカス誤差信号が最適になり再設定ができると、レーザ光を増光し（Ｓ９１３）、処理を終了するかどうかを判別し（Ｓ９１４）、処理を終了するときは処理終了処理をする（Ｓ９１５）。
【００９２】
終了をしないと判断したら（Ｓ９０５）に戻り処理を続ける。
【００９３】
なお、本発明の実施の形態１及び本発明の実施の形態２の光学系の構成に限定するものではなく、スポットサイズ法、ナイフエッジ法などフォーカス誤差を検出する色々な構成でも同様に実施できることは言うまでもない。
【産業上の利用可能性】
【００９４】
本発明にかかる光ディスク装置及びそのレーベル記録方法は、光学的に記録可能なレーベル面を有する光ディスクに画像や文字を光学的に記録できるので、光ディスクに記録した内容をレーベル情報として記録するパーソナルコンピュータなどの外部記憶装置としての光ディスク装置に有用である。
【図面の簡単な説明】
【００９５】
【図１】本発明の実施の形態１に係わる光ディスク装置の斜視図
【図２】本発明の実施の形態１に係わる光ディスク装置の外観図
【図３】本発明の実施の形態１に係わる光ディスク装置のブロック図
【図４】本発明の実施の形態１に係わる光ディスクとレーザ光の関係を示した図
【図５】本発明の実施の形態１に係わるフォーカス誤差信号を説明する図
【図６】本発明の実施の形態１に係わる光ピックアップの光学系構成の略図
【図７】本発明の実施の形態１に係わるフローチャート
【図８】本発明の実施の形態２に係わる光ピックアップの光学系構成の略図
【図９】本発明の実施の形態２に係わるフローチャート
【符号の説明】
【００９６】
１    光ディスク装置
２    筐体
３    トレイ
４    光ピックアップモジュール
４ａ    スピンドルモータ
４ｂ    光ディスク装着部
５    光ピックアップ
９    回路基板
１０    ＦＰＣ
１１    光ディスク
３１    対物レンズ
１１１    パーソナルコンピュータ
２０５    フォーカス駆動手段
２０７    レーザ
２０８    反射光受光手段
２１４    フォーカス制御手段
２１７    レーザ制御手段
２２２    ディスク判別手段
２２３    フォーカス誤差監視手段
【図１】
2008217925.tif 000003
【図２】
2008217925.tif 000004
【図３】
2008217925.tif 000005
【図４】
2008217925.tif 000006
【図５】
2008217925.tif 000007
【図６】
2008217925.tif 000008
【図７】
2008217925.tif 000009
【図８】
2008217925.tif 000010
【図９】
2008217925.tif 000011